(57)【要約】【課題】大型化を招くことなくロック機構による相手側ハウジングとのロックを維持させることができ、しかも、製造コストの嵩張りを抑えることが可能なハウジングを提供すること。【解決手段】オスハウジング７０に嵌合されるハウジング本体２２と、ハウジング本体２２の電線引出側の端部に装着されてハウジング本体２２から引き出される電線２５を覆うカバー５０と、を備えたメスハウジング２０であって、ハウジング本体２２は、オスハウジング７０の突起部７３を係止するロックアーム３１と、操作部３４が押下されることにより揺動してロックアーム３１による突起部７３の係止を解除させる解除アーム３８と、を有し、カバー５０は、ハウジング本体２２に装着されることで、ハウジング本体２２と操作部３４との間に介在して解除アーム３８の揺動を規制するロック片６３を有する。【選択図】図５
2020198256.tif 000002
【特許請求の範囲】
【請求項１】
相手側ハウジングに嵌合されるハウジング本体と、前記ハウジング本体の電線引出側の端部に装着されて前記ハウジング本体から引き出される電線を覆うカバーと、を備えたハウジングであって、
前記ハウジング本体は、前記相手側ハウジングの突起部を係止するロックアームと、操作部が押下されることにより揺動して前記ロックアームによる前記突起部の係止を解除させる解除アームと、を有し、
前記カバーは、前記ハウジング本体に装着されることで、前記ハウジング本体と前記操作部との間に介在して前記解除アームの揺動を規制するロック片を有する
ことを特徴とするハウジング。
【請求項２】
前記ハウジング本体には、前記操作部と反対側に指当て部が設けられ、
前記カバーには、前記指当て部に係合する係合部が設けられ、
前記カバーは、前記指当て部と前記係合部との係合箇所を中心に前記ハウジング本体側へ回動されることにより、前記ハウジング本体に装着されて前記ロック片が前記ハウジング本体と前記操作部との間に介在される
ことを特徴とする請求項１に記載のハウジング。
【請求項３】
前記ハウジング本体の両側部には、前記カバーの両側部を係止する係止部が設けられている
ことを特徴とする請求項１または請求項２に記載のハウジング。
【請求項４】
前記カバーは、少なくとも前記ハウジング本体への装着側が、前記ハウジング本体の正面視において前記ハウジング本体の外形からはみ出すことなく前記ハウジング本体に装着される
ことを特徴とする請求項１〜３のいずれか一項に記載のハウジング。
【発明の詳細な説明】
【技術分野】
【０００１】
本発明は、ハウジングに関する。
【背景技術】
【０００２】
相手側ハウジングに嵌合されるハウジングは、相手側ハウジングのロック突部を係止するロック機構を備えている（例えば、特許文献１参照）。また、上カバーと下カバーをハウジングの上下から組付けることで、これらの上カバーと下カバーとからなるカバーによってハウジングの周囲を覆うとともに、電線をガイドするカバーを備えたコネクタが知られている（例えば、特許文献２参照）。さらに、ハウジングに一体に成形された帯状のカバーを備え、このカバーを湾曲させて端部をロックアームの下側の空間に挿し込んで係止させるコネクタも知られている（特許文献３参照）。
【先行技術文献】
【特許文献】
【０００３】
【特許文献１】特開２００６−１２７７９６号公報
【特許文献２】特開２０１５−２１０９６７号公報
【特許文献３】特開２０１５−２６５５７号公報
【発明の概要】
【発明が解決しようとする課題】
【０００４】
ところで、ロック機構を備えた特許文献１に記載のハウジングでは、不用意にロック機構が操作されて相手側ハウジングとのロックが解除されてしまうおそれがある。これに対して、特許文献２に記載のハウジングでは、ハウジングの全体をカバーで覆うことでロック機構の不用意な解除が防げるが、全体の大型化を招いてしまう。また、特許文献３に記載のハウジングでは、帯状のカバーをハウジングに一体成形するので、成形用の金型が特殊で複雑な形状となり、製造コストが嵩んでしまう。
【０００５】
本発明は、上述した事情に鑑みてなされたものであり、その目的は、大型化を招くことなくロック機構による相手側ハウジングとのロックを維持させることができ、しかも、製造コストの嵩張りを抑えることが可能なハウジングを提供することにある。
【課題を解決するための手段】
【０００６】
前述した目的を達成するために、本発明に係るハウジングは、下記（１）〜（４）を特徴としている。
（１）  相手側ハウジングに嵌合されるハウジング本体と、前記ハウジング本体の電線引出側の端部に装着されて前記ハウジング本体から引き出される電線を覆うカバーと、を備えたハウジングであって、
前記ハウジング本体は、前記相手側ハウジングの突起部を係止するロックアームと、操作部が押下されることにより揺動して前記ロックアームによる前記突起部の係止を解除させる解除アームと、を有し、
前記カバーは、前記ハウジング本体に装着されることで、前記ハウジング本体と前記操作部との間に介在して前記解除アームの揺動を規制するロック片を有する
ことを特徴とするハウジング。
（２）  前記ハウジング本体には、前記操作部と反対側に指当て部が設けられ、
前記カバーには、前記指当て部に係合する係合部が設けられ、
前記カバーは、前記指当て部と前記係合部との係合箇所を中心に前記ハウジング本体側へ回動されることにより、前記ハウジング本体に装着されて前記ロック片が前記ハウジング本体と前記操作部との間に介在される
ことを特徴とする（１）に記載のハウジング。
（３）  前記ハウジング本体の両側部には、前記カバーの両側部を係止する係止部が設けられている
ことを特徴とする（１）または（２）に記載のハウジング。
（４）  前記カバーは、少なくとも前記ハウジング本体への装着側が、前記ハウジング本体の正面視において前記ハウジング本体の外形からはみ出すことなく前記ハウジング本体に装着される
ことを特徴とする（１）〜（３）のいずれか一つに記載のハウジング。
【０００７】
上記（１）の構成のハウジングによれば、ハウジング本体にカバーを装着することで、ハウジング本体から引き出された電線を覆って保護することができる。しかも、ハウジング本体と別体のカバーを、ハウジング本体の電線引出側の端部に装着する構造であるので、周囲全体を覆うカバーを備えたハウジングやカバーが一体成形されたハウジングと比べ、大型化及び製造コストの嵩張りを招くこともない。また、カバーを装着すると、カバーのロック片がハウジング本体と操作部との間に介在される。これにより、操作部が不用意に押されてロックアームによる突起部に対する係止状態が解除されるのを抑制できる。また、相手側ハウジングに対するハウジング本体の嵌合状態が不完全であると、ロック片が操作部に干渉してハウジング本体に対してカバーを装着することが困難となる。このことから、作業者は、相手側ハウジングに対するハウジング本体の嵌合が不完全であることを容易に認識することができる。
上記（２）の構成のハウジングによれば、係合部をハウジング本体の指当て部に係合させて回動させることで、カバーをハウジング本体へ容易に装着させることができる。そして、カバーをハウジング本体に装着させることにより、ロック片をハウジング本体と操作部との間に介在させてロックアームによる突起部の係止解除を抑制することができる。
上記（３）の構成のハウジングによれば、ハウジング本体にカバーを装着させると、ハウジング本体の両側部に設けられた係止部がカバーの両側部を係止する。これにより、カバーをハウジング本体に良好に装着された状態に維持させることができる。
上記（４）の構成のハウジングによれば、カバーのハウジング本体への装着側が、ハウジング本体の正面視においてハウジング本体の外形からはみ出すことなくハウジング本体に装着されるので、大型化が抑えられたカバー付きのハウジングとすることができる。
【発明の効果】
【０００８】
本発明によれば、大型化を招くことなくロック機構による相手側ハウジングとのロックを維持させることができ、しかも、製造コストの嵩張りを抑えることが可能なハウジングを提供できる。
【０００９】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１０】
【図１】図１は、本実施形態に係るメスハウジング及びオスハウジングの斜視図である。
【図２】図２は、メスハウジングの縦方向に沿う断面図である。
【図３】図３は、メスハウジングを示す図であって、図３（ａ）はメスハウジングの上部後方から視た斜視図、図３（ｂ）はメスハウジングの下部後方から視た斜視図である。
【図４】図４は、カバーの取付部側から視た斜視図である。
【図５】図５は、ハウジング本体及びカバーを示す図であって、図５（ａ）はカバー装着状態における縦方向に沿う断面図、図５（ｂ）はカバー装着前における縦方向に沿う断面図である。
【発明を実施するための形態】
【００１１】
以下、本発明に係る実施の形態の例を、図面を参照して説明する。
図１は、本実施形態に係るメスハウジング及び相手側ハウジングの斜視図である。
図１に示すように、本実施形態の係るメスハウジング（ハウジング）２０は、オスハウジング（相手側ハウジング）７０とともにコネクタ１０を構成する。
【００１２】
メスハウジング２０はフード部２１が形成されたハウジング本体２２と、ハウジング本体２２に組付けられたカバー５０とを有している。オスハウジング７０は接続部７１を有しており、メスハウジング２０のハウジング本体２２のフード部２１とオスハウジング７０の接続部７１とを嵌合させることで互いに接合される。
【００１３】
オスハウジング７０は、合成樹脂から成形されている。このオスハウジング７０には、複数のオス端子（図示略）が設けられており、これらのオス端子は、接続部７１内に配置されている。
【００１４】
オスハウジング７０は、接続部７１の上部に、一対のガイド突条７２と、突起部７３とを有している。ガイド突条７２は、メスハウジング２０との嵌合方向（以下、単に嵌合方向と呼ぶ）に沿って間隔をあけて形成されている。突起部７３は、一対のガイド突条７２の間である接続部７１の上部における幅方向中央位置に形成されている。突起部７３は、接続部７１の上面から突設されており、嵌合方向の前方側には、オスハウジング７０の後端側へ向かって次第に上方へ傾斜したガイド面７４が形成されている。
【００１５】
図２は、メスハウジングの縦方向に沿う断面図である。
図２に示すように、メスハウジング２０のハウジング本体２２に形成されたフード部２１は、筒状に形成されている。メスハウジング２０は、合成樹脂から成形されたもので、ハウジング本体２２は、フード部２１の内部に嵌合部２３を有している。この嵌合部２３は、複数の端子収容室２４を有しており、オスハウジング７０との嵌合方向（以下、単に嵌合方向と呼ぶ）へ向かって突設されている。
【００１６】
この嵌合部２３の根元には、先端側からオスハウジング７０との嵌合箇所をシールする環状のシール部材４６が装着されている。このシール部材４６は、例えば、ゴム等の弾性材料から形成されたもので、メスハウジング２０のフード部２１に嵌合されたオスハウジング７０の接続部７１に密着する。これにより、オスハウジング７０とメスハウジング２０との嵌合箇所がシール部材４６によってシールされる。
【００１７】
嵌合部２３の端子収容室２４には、電線２５の端部に接続されたメス端子２６がそれぞれ収容されており、電線２５は、ハウジング本体２２の後端から引き出される。端子収容室２４には、電線２５に装着されたゴム栓２７がハウジング本体２２の後端側から嵌め込まれる。これにより、メス端子２６が収容されたハウジング本体２２の端子収容室２４が止水される。
【００１８】
メス端子２６は、例えば、銅または銅合金等の導電性金属材料から形成されたもので、電線２５に圧着されて接続されている。このメス端子２６は、筒状に形成された電気接続部２８を有している。
【００１９】
図３は、メスハウジングを示す図であって、図３（ａ）はメスハウジングの上部後方から視た斜視図、図３（ｂ）はメスハウジングの下部後方から視た斜視図である。
【００２０】
図３の（ａ）及び図３の（ｂ）に示すように、メスハウジング２０には、ハウジング本体２２の上部に、ロック機構３０が設けられている。ロック機構３０は、ロックアーム３１と、解除アーム３８とを有している。
【００２１】
ロックアーム３１は、一対の弾性アーム部３２と、係止部３６とを有している。弾性アーム部３２は、ハウジング本体２２に連設されて嵌合方向の前方側へ延在された片持ち支持梁状に形成されている。弾性アーム部３２は、互いに間隔をあけて並列に配置されている。これらの弾性アーム部３２は、嵌合方向の前方側が互いに連結されている。ロックアーム３１は、弾性アーム部３２の互いに連結された連結部分が係止部３６とされており、この係止部３６は、オスハウジング７０に形成された突起部７３に対して係脱される。
【００２２】
解除アーム３８は、一対の支持アーム部３３と、操作部３４とを有している。支持アーム部３３は、一対の弾性アーム部３２の外側にそれぞれ設けられている。支持アーム部３３は、嵌合方向の前方側の端部が弾性アーム部３２に連設されて嵌合方向の後方側へ延在されている。支持アーム部３３は、弾性アーム部３２との連設側と反対側の後端部が互いに連結されており、この連結部分が操作部３４とされている。
【００２３】
ロック機構３０の両側部には、一対の保護壁４１が設けられている。これらの保護壁４１は、ハウジング本体２２の上部に立設されており、ロック機構３０は、保護壁４１によって側方が囲われて保護されている。保護壁４１の嵌合方向の前方側には、梁部４２が設けられている。この梁部４２は、両端が保護壁４１に連設されており、ハウジング本体２２に対して隙間をあけて配置されている。
【００２４】
ハウジング本体２２には、操作部３４側へ向かって突出する突起２９が形成されている。また、解除アーム３８の支持アーム部３３の後端の操作部３４には、ハウジング本体２２側へ突出する突起３９が形成されている。これらの突起２９，３９は、メスハウジング２０の幅方向の中央位置に形成されている。そして、このメスハウジング２０では、作業者によって操作部３４が必要以上に押し下げられると、ハウジング本体２２及び操作部３４の突起２９，３９同士が互いに当接することで、支持アーム部３３の過度な変位によるロック機構３０の破損・損傷が抑制される。
【００２５】
また、ハウジング本体２２は、電線が引き出される電線引出側である後端に、後方へ突出するカバー装着部４５を有している。カバー装着部４５は、底面部４４と、側面部４８とを有している。底面部４４には、突条からなる指当て部４７が形成されている。指当て部４７は、解除アーム３８の操作部３４を押下する際に、作業者が指を当てる部分である。これにより、作業者は、例えば、人差し指を指当て部４７に当てながら親指で操作部３４を押下することが可能とされている。また、側面部４８には、係止爪（係止部）４９が形成されている。
【００２６】
図４は、カバーの取付部側から視た斜視図である。図５は、ハウジング本体及びカバーを示す図であって、図５（ａ）はカバー装着状態における縦方向に沿う断面図、図５（ｂ）はカバー装着前における縦方向に沿う断面図である。
【００２７】
図２及び図４に示すように、カバー５０は、屈曲した筒状に形成されており、このカバー５０の内部にハウジング本体２２の電線引出側の端部である後端から引き出された電線２５が通される。これにより、ハウジング本体２２から引き出された電線２５がカバー５０によって保護される。このカバー５０は、一端から他端へ向かって屈曲しながら次第に細くされている。カバー５０は、例えば、ゴム等の合成樹脂によって一体に成形されている。
【００２８】
このカバー５０は、一端側がハウジング本体２２のカバー装着部４５に装着される。カバー装着部４５に装着されるカバー５０の一端側は、カバー装着部４５の外形に対応する形状の内形に形成された取付部５１とされている。取付部５１は、底壁部５３と、上壁部５４と、側壁部５５とを有した正面視略矩形状に形成されている。
【００２９】
底壁部５３には、係合溝（係合部）６１が形成されている。係合溝６１は、底壁部５３の縁部近傍における内面に形成されている。また、側壁部５５には、係止穴６２が形成されている。係止穴６２は、側壁部５５の縁部近傍における内面に形成されている。上壁部５４は、縁部が切り欠かれており、その縁部には、ロック片６３が形成されている。このロック片６３は、カバー５０の幅方向の中央位置に形成されており、ハウジング本体２２への装着方向へ突設されている。
【００３０】
図５（ａ）に示すように、カバー５０は、ハウジング本体２２のカバー装着部４５に取付部５１を装着した状態で、指当て部４７と底壁部５３の係合溝６１とが係合し、係止爪４９が側壁部５５の係止穴６２を係止する。これにより、カバー５０がハウジング本体２２に装着された状態に維持される。また、この装着状態において、カバー５０のロック片６３が、ハウジング本体２２の突起２９と解除アーム３８の操作部３４の突起３９との間に介在される。これにより、解除アーム３８の支持アーム部３３の揺動が規制される。このカバー５０の装着状態において、カバー５０は、取付部５１が、ハウジング本体２２の正面視においてハウジング本体２２の外形の範囲内に収まる。つまり、カバー５０は、ハウジング本体２２の外形から取付部５１がはみ出すことなくハウジング本体２２に装着される。
【００３１】
カバー５０をハウジング本体２２のカバー装着部４５に装着するには、まず、図５（ｂ）に示すように、カバー５０の取付部５１の底壁部５３に形成された係合溝６１を指当て部４７に係合させる。そして、このカバー５０を、係合溝６１と指当て部４７との係合箇所を中心としてハウジング本体２２へ向かって回動させる。すると、カバー５０の取付部５１にハウジング本体２２のカバー装着部４５が嵌め込まれ、係止爪４９が係止穴６２に入り込んで係止する。また、カバー５０のロック片６３が、ハウジング本体２２の突起２９と解除アーム３８の操作部３４の突起３９との間に挿し込まれる。
【００３２】
次に、オスハウジング７０にメスハウジング２０を嵌合させる場合について説明する。
【００３３】
オスハウジング７０の接続部７１に、カバー５０の装着前のメスハウジング２０のフード部２１を近接させて嵌合部２３を嵌め込む。すると、オスハウジング７０のガイド突条７２によってロック機構３０が案内され、メスハウジング２０のロックアーム３１の係止部３６がオスハウジング７０の突起部７３のガイド面７４に接触する。
【００３４】
オスハウジング７０に対してメスハウジング２０を押し込むと、突起部７３のガイド面７４に接触していたロックアーム３１の係止部３６がガイド面７４に沿って摺動して乗り上げ始め、ロックアーム３１の弾性アーム部３２が弾性変形される。これにより、解除アーム３８の支持アーム部３３は、弾性アーム部３２と連結された前端側がハウジング本体２２から離間する方向へ変位されることで揺動する。
【００３５】
オスハウジング７０に対してメスハウジング２０をさらに押し込むことで、係止部３６が突起部７３を乗り越えると、弾性変形していた弾性アーム部３２が復元して支持アーム部３３が逆方向へ揺動し、係止部３６が突起部７３の嵌合方向の前方側に入り込んで係止する。これにより、オスハウジング７０に対してメスハウジング２０が嵌合された状態でロックされる。この嵌合状態において、メスハウジング２０の嵌合部２３に装着されたシール部材４６にオスハウジング７０の接続部７１が密着し、オスハウジング７０とメスハウジング２０との嵌合箇所がシールされる。そして、この嵌合状態では、メス端子２６の電気接続部２８にオス端子が挿入され、メス端子２６とオス端子とが電気的に接続される。
【００３６】
オスハウジング７０にメスハウジング２０を嵌合させたら、予め電線２５を通しておいたカバー５０をハウジング本体２２に装着させる。すると、カバー５０のロック片６３が、ハウジング本体２２の突起２９と解除アーム３８の操作部３４の突起３９との間に挿し込まれて介在する。これにより、解除アーム３８の支持アーム部３３の揺動が規制され、操作部３４が不用意に押されて解除アーム３８が揺動され、オスハウジング７０の突起部７３に対するロックアーム３１の係止部３６の係止状態が解除されるのを抑制できる。
【００３７】
また、ハウジング本体２２に対するカバー５０の装着作業において、オスハウジング７０とメスハウジング２０との嵌合状態が不完全であるためにロック機構３０の解除アーム３８が傾いていると、ハウジング本体２２に装着しようとするカバー５０のロック片６３が解除アーム３８の支持アーム部３３の操作部３４に干渉する。これにより、ハウジング本体２２に対してカバー５０を装着することができず、このことから、作業者は、オスハウジング７０に対するメスハウジング２０のハウジング本体２２の嵌合が不完全であることを容易に認識することができる。
【００３８】
次に、オスハウジング７０からメスハウジング２０を離脱させる場合について説明する。
【００３９】
オスハウジング７０からメスハウジング２０を離脱させるには、まず、ハウジング本体２２からカバー５０を取り外す。すると、カバー５０のロック片６３がハウジング本体２２の突起２９と解除アーム３８の操作部３４の突起３９との間から引き抜かれ、解除アーム３８の揺動が可能となる。そして、揺動可能となった解除アーム３８の後端の操作部３４をハウジング本体２２側へ押圧する。
【００４０】
すると、支持アーム部３３が揺動され、ロックアーム３１の係止部３６がハウジング本体２２から離間する方向へ変位し、突起部７３に対する係止部３６の係止が解除され、オスハウジング７０に対するメスハウジング２０のロックが解除される。
【００４１】
この状態において、オスハウジング７０に対してメスハウジング２０を引き離す方向へ移動させる。これにより、メスハウジング２０がオスハウジング７０から離脱され、メス端子２６とオス端子との電気的な接続状態が解除される。
【００４２】
以上、説明したように、本実施形態に係るメスハウジング２０によれば、ハウジング本体２２にカバー５０を装着することで、ハウジング本体２２から引き出された電線２５を覆って保護することができる。しかも、ハウジング本体２２と別体のカバー５０を、ハウジング本体２２の電線引出側の端部に装着する構造であるので、周囲全体を覆うカバーを備えたハウジングやカバーが一体成形されたハウジングと比べ、大型化及び製造コストの嵩張りを招くこともない。また、カバー５０を装着すると、カバー５０のロック片６３がハウジング本体２２と操作部３４との間に介在される。これにより、操作部３４が不用意に押されてロックアーム３１による突起部７３に対する係止状態が解除されるのを抑制できる。また、オスハウジング７０に対するハウジング本体２２の嵌合状態が不完全であると、ロック片６３が操作部３４に干渉してハウジング本体２２に対してカバー５０を装着することが困難となる。このことから、作業者は、オスハウジング７０に対するハウジング本体２２の嵌合が不完全であることを容易に認識することができる。
【００４３】
また、カバー５０の係合溝６１をハウジング本体２２の指当て部４７に係合させて回動させることで、カバー５０をハウジング本体２２へ容易に装着させることができる。そして、カバー５０をハウジング本体２２に装着させることにより、ロック片６３をハウジング本体２２と操作部３４との間に介在させてロックアーム３１による突起部７３の係止解除を抑制することができる。
【００４４】
しかも、ハウジング本体２２にカバー５０を装着させると、ハウジング本体２２の両側部に設けられた係止爪４９がカバー５０の両側部を係止する。これにより、カバー５０をハウジング本体２２に良好に装着された状態に維持させることができる。
【００４５】
また、カバー５０のハウジング本体２２への装着側である取付部５１が、ハウジング本体２２の正面視においてハウジング本体２２の外形からはみ出すことなくハウジング本体２２に装着されるので、大型化が抑えられたカバー付きのハウジングとすることができる。
【００４６】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４７】
ここで、上述した本発明に係るハウジングの実施形態の特徴をそれぞれ以下［１］〜［４］に簡潔に纏めて列記する。
［１］  相手側ハウジング（オスハウジング７０）に嵌合されるハウジング本体（２２）と、前記ハウジング本体（２２）の電線引出側の端部に装着されて前記ハウジング本体（２２）から引き出される電線（２５）を覆うカバー（５０）と、を備えたハウジング（メスハウジング２０）であって、
前記ハウジング本体（２２）は、前記相手側ハウジング（オスハウジング７０）の突起部（７３）を係止するロックアーム（３１）と、操作部（３４）が押下されることにより揺動して前記ロックアーム（３１）による前記突起部（７３）の係止を解除させる解除アーム（３８）と、を有し、
前記カバー（５０）は、前記ハウジング本体（２２）に装着されることで、前記ハウジング本体（２２）と前記操作部（３４）との間に介在して前記解除アーム（３８）の揺動を規制するロック片（６３）を有する
ことを特徴とするハウジング。
［２］  前記ハウジング本体（２２）には、前記操作部（３４）と反対側に指当て部（４７）が設けられ、
前記カバー（５０）には、前記指当て部（４７）に係合する係合部（係合溝６１）が設けられ、
前記カバー（５０）は、前記指当て部（４７）と前記係合部（係合溝６１）との係合箇所を中心に前記ハウジング本体（２２）側へ回動されることにより、前記ハウジング本体（２２）に装着されて前記ロック片（６３）が前記ハウジング本体（２２）と前記操作部（３４）との間に介在される
ことを特徴とする［１］に記載のハウジング。
［３］  前記ハウジング本体（２２）の両側部には、前記カバー（５０）の両側部を係止する係止部（係止爪４９）が設けられている
ことを特徴とする［１］または［２］に記載のハウジング。
［４］  前記カバー（５０）は、少なくとも前記ハウジング本体（２２）への装着側が、前記ハウジング本体（２２）の正面視において前記ハウジング本体（２２）の外形からはみ出すことなく前記ハウジング本体（２２）に装着される
ことを特徴とする［１］〜［３］のいずれか一つに記載のハウジング。
【符号の説明】
【００４８】
２０：メスハウジング（ハウジング）
２２：ハウジング本体
２５：電線
３１：ロックアーム
３４：操作部
３８：解除アーム
４７：指当て部
４９：係止爪（係止部）
５０：カバー
６１：係合溝（係合部）
６３：ロック片
７０：オスハウジング（相手側ハウジング）
７３：突起部
【図１】
2020198256.tif 000003
【図２】
2020198256.tif 000004
【図３】
2020198256.tif 000005
【図４】
2020198256.tif 000006
【図５】
2020198256.tif 000007